(57)【要約】【課題】本発明の解決しようとする課題は、安価にかつ短期間に製造することが可能であり、実際の大きさや形状を持った紙製食品サンプルを提案しようとするものである。【解決手段】紙の表面に食品の実物大の表面絵柄３が印刷されており、紙の裏面に前記表面絵柄の鏡像となる裏面絵柄４が、前記表面絵柄と表裏同一の位置に印刷されており、組み立て用の差し込み片５と差し込み孔６が設けられた複数のパーツの、前記差し込み片５を所定の差し込み孔６に挿入して立体的に組み立てたことを特徴とする食品サンプルである。【選択図】図１
2019078894.tif 000002
【特許請求の範囲】
【請求項１】
１枚以上の紙製のパーツから組み立てられてなる食品サンプルであって、前記紙製のパーツは、表面に食品の実物大の表面絵柄が印刷されており、裏面に前記表面絵柄の鏡像となる裏面絵柄が、前記表面絵柄と表裏同一の位置に印刷されており、さらに組み立て用の差し込み片と差し込み孔が設けられており、前記紙製のパーツの、前記差し込み片を所定の差し込み孔に挿入して立体的に組み立てたことを特徴とする食品サンプル。
【請求項２】
前記食品サンプルを構成する紙製のパーツの表面は、当該食品に模した表面状態であることを特徴とする請求項１に記載の食品サンプル。
【請求項３】
前記差し込み片には、それぞれ前記差し込み孔に差し込んだ時に係止する係止部が設けられているか、または折り曲げて差し込むことにより、ロック性が高まる折り曲げ係止部が設けられていることを特徴とする請求項１または２に記載の食品サンプル。
【請求項４】
前記差し込み片と、それに対応する差し込み孔には、それぞれ同じ番号または記号が表示されていることを特徴とする請求項１〜３のいずれか１項に記載の食品サンプル。
【請求項５】
食品が、半切りにした白菜またはキャベツであり、食品サンプルを構成する紙製のパーツが、半切り面を示す平面材のパーツと、葉のパーツと、芯のパーツを含むことを特徴とする請求項１〜４のいずれか１項に記載の食品サンプル。
【請求項６】
食品が、刺身の盛り合わせであり、食品サンプルを構成する紙製のパーツが、皿のパーツと、刺身のパーツと、つまのパーツを含むことを特徴とする請求項１〜４のいずれか１項に記載の食品サンプル。
【発明の詳細な説明】
【技術分野】
【０００１】
本発明は、各種食品に模して作成された食品サンプルに関し、特に電器店の店頭において冷蔵庫中に展示して使用される紙製食品サンプルに関する。
【背景技術】
【０００２】
食品サンプルは、レストランなどの店頭に展示される料理サンプルを始めとして、さまざまな場面において使用されている。料理サンプルは、主として着色したワックスを材料として用い、熟練の職人が一つづつ手作業で作成するため、非常に高価なものである。
【０００３】
ピーマン、りんごなど比較的小型で、かつ形状や色彩が単純な野菜や果物は、プラスチック成形品や石膏成形品が、主として置物用として販売されている。しかし、キャベツや白菜など大型の野菜などは、プラスチック成形や石膏成形で作ろうとすると、巨額な型代や材料費がかかるため、非常に高価なものとなり、実用的でなかった。
【０００４】
一方、電器店の店頭において、冷蔵庫の展示を行う際に、冷蔵庫のそれぞれの収納スペースが何を収納するためのスペースであるのかを分かり易く展示するために、冷蔵庫中に食品サンプルを展示することが求められている。
【０００５】
食品サンプルとして実際の食品を使用することはできないため、上記の比較的入手が容易な、従って小型の食品サンプルが用いられていたが、これでは冷蔵庫の実際の収納能力を推し量ることは出来ず、単なる飾りの域を出なかった。また、食品サンプルは、数多くの電器店において展示する必要から、ある程度大量のサンプルを短期間に作成することが求められる。
【０００６】
特許文献１に記載された家庭食品用電化製品内に収納する食品例の説明用立体サンプルは、この目的のために提案されたものであり、冷蔵庫の水平棚の収納位置にほぼ等しい大きさと形状を持つ大きさのシートに、収納すべき食品を立体的に示すレリーフ状凹凸を形成した家庭食品用電化製品内に収納する食品例の説明用立体サンプルである。
【０００７】
特許文献１に記載された説明用立体サンプルは、平面的なシートに食品収納状態を印刷し、金型によって凹凸を形成したものであるが、あくまで説明用の立体看板とでも言うべきものであり、厳密な意味で個々の食品を模した食品サンプルではない。従って冷蔵庫を実際に使用する際の収納能力や使い勝手等を推し量ることができず、顧客にとっては、いささか不親切なものであると言わざるを得なかった。
【先行技術文献】
【特許文献】
【０００８】
【特許文献１】特開２００３−８４６７５号公報
【発明の概要】
【発明が解決しようとする課題】
【０００９】
本発明の解決しようとする課題は、安価にかつ短期間に製造することが可能であり、実際の大きさや形状を持った紙製食品サンプルを提案しようとするものである。
【課題を解決するための手段】
【００１０】
上記の課題を解決するための手段として、請求項１に記載の発明は、１枚以上の紙製のパーツから組み立てられてなる食品サンプルであって、前記紙製のパーツは、表面に食品の実物大の表面絵柄が印刷されており、裏面に前記表面絵柄の鏡像となる裏面絵柄が、前記表面絵柄と表裏同一の位置に印刷されており、さらに組み立て用の差し込み片と差し込み孔が設けられており、前記紙製のパーツの、前記差し込み片を所定の差し込み孔に挿入して立体的に組み立てたことを特徴とする食品サンプルである。
【００１１】
本発明に係る紙製食品サンプルは、紙の表裏面に鏡像となる同一の絵柄が印刷されたパーツを組み立てている為、実物に近い印象を与えるものとなっている。
【００１２】
また、請求項２に記載の発明は、前記食品サンプルを構成する紙製のパーツの表面が、当該食品に模した表面状態であることを特徴とする請求項１に記載の食品サンプルである。
【００１３】
また、請求項３に記載の発明は、前記差し込み片に、それぞれ前記差し込み孔に差し込んだ時に係止する係止部が設けられているか、または折り曲げて差し込むことにより、ロック性が高まる折り曲げ係止部が設けられていることを特徴とする請求項１または２に記載の食品サンプルである。
【００１４】
また、請求項４に記載の発明は、前記差し込み片と、それに対応する差し込み孔に、それぞれ同じ番号または記号が表示されていることを特徴とする請求項１〜３のいずれか１項に記載の食品サンプルである。
【００１５】
また、請求項５に記載の発明は、食品が半切りにした白菜またはキャベツであり、食品サンプルを構成する紙製のパーツが、半切り面を示す平面材のパーツと、葉のパーツと、芯のパーツを含むことを特徴とする請求項１〜４のいずれか１項に記載の食品サンプルである。
【００１６】
また、請求項６に記載の発明は、食品が刺身の盛り合わせであり、食品サンプルを構成する紙製のパーツが、皿のパーツと、刺身のパーツと、つまのパーツを含むことを特徴とする請求項１〜４のいずれか１項に記載の食品サンプルである。
【発明の効果】
【００１７】
本発明に係る食品サンプルは、実物大の印刷を表裏面に施した紙製のパーツを立体的に組み立てて作成されるものであるため、実物大の大きさや、ほぼ実物に近い形状を持ったものである。このため、冷蔵庫用の食品サンプルとして用いた場合、冷蔵庫のどの収納場所にどのように収納可能であるか否かが直感的に分かり易いという効果がある。
【００１８】
紙に施される表裏の印刷は、例えば白菜であれば、白菜の葉の表裏面の絵柄を鏡像となるように同一場所に印刷したものであるため、一見して実物であるかのような印象を与えるものとすることができる。
【００１９】
組立は、差し込み片を所定の差し込み孔に挿入するだけの簡単な操作であり、接着剤等を使用することもないため、短時間に大量のサンプルを作成することが可能である。従って短期間に大量のサンプルを供給することができる。この事は、例えば新型冷蔵庫の発売に当たって、一斉にキャンペーンを開催する時などに、非常に有効である。
【００２０】
請求項２に記載の発明のように、食品サンプルを構成する紙製のパーツの表面を、当該食品に模した表面状態とした場合には、より本物に近い印象を与えるものとなる。
【００２１】
また、請求項３に記載の発明のように、差し込み片に、それぞれの差し込み孔に差し込んだ時に係止する係止部が設けられているか、または折り曲げて差し込むことにより、ロ
ック性が高まる折り曲げ係止部が設けられている場合においては、差し込み片の抜け落ちが生じ難くなり、組み立て作業がより円滑なものとなるばかりでなく、完成した食品サンプルの形状安定性が高まり、手で持ったりしても形が崩れるような事態が生じない。
【００２２】
また、請求項４に記載の発明のように、差し込み片と、それに対応する差し込み孔に、それぞれ同じ番号または記号が表示されている場合には、組み立てミスを防止する効果がある他、組み立て作業もやり易くなり、例えば子供用の組み立て式工作などとしても十分転用可能である。
【００２３】
本発明に係る紙製食品サンプルは、実物を写真撮影して印刷用刷版を作成するので、白菜やキャベツの断面など、非常に複雑な構造を持ったものでも、実物に近い表現が可能である。このため、半切りにした白菜やキャベツなど大型の食品サンプルは、本発明の特徴を非常に良く生かしたものとなる。
【００２４】
また、本発明に係る紙製食品サンプルは、紙を折り曲げて成形可能な形状のものに適しており、刺身の盛り合わせなどのように、個々の部品（刺身）が平面から構成される形状のものには適している。
【図面の簡単な説明】
【００２５】
【図１】図１は、本発明に係る食品サンプル（キャベツ）の斜視図である。
【図２】図２は、図１に示した食品サンプル（キャベツ）を他の角度から見た状態を示した斜視図である。
【図３】図３は、図１、２に示した食品サンプル（キャベツ）を構成する葉のパーツの平面模式図である。
【図４】図４は、図１、２に示した食品サンプル（キャベツ）を構成する他の葉のパーツの平面模式図である。
【図５】図５は、図１、２に示した食品サンプル（キャベツ）を構成する半切り面のパーツの平面模式図である。
【図６】図６は、図１、２に示した食品サンプル（キャベツ）を構成する芯のパーツの平面模式図である。
【図７】図７は、本発明に係る食品サンプルの他の実施例（白菜）を示した斜視図である。
【図８】図８は、本発明に係る食品サンプルの他の実施例（刺身の盛り合わせ）を示した斜視図である。
【発明を実施するための形態】
【００２６】
以下、図面を参照しながら、本発明に係る食品サンプルについて詳細に説明する。図１は、本発明に係る食品サンプル（キャベツ）の斜視図である。また、図２は、図１に示した食品サンプル（キャベツ）を他の角度から見た状態を示した斜視図である。図３〜６は、図１、２に示した食品サンプル（キャベツ）を構成するパーツの平面模式図である。
【００２７】
本発明に係る食品サンプルは、紙の表面に食品の実物大の表面絵柄３が印刷されており、紙の裏面に前記表面絵柄３の鏡像となる裏面絵柄４が、前記表面絵柄３と表裏同一の位置に印刷されており、組み立て用の差し込み片５と差し込み孔６が設けられた複数の紙製のパーツ２の、前記差し込み片５を所定の差し込み孔６に挿入して立体的に組み立てたことを特徴とする。
【００２８】
紙は、ボール紙等の厚紙を使用するが、印刷適性の良好な白ボール紙、コートボール紙、カード原紙等を用いるのが好ましい。表裏両面に印刷する必要から両面コート紙等、両面の印刷適性が良好な厚紙を用いるのが良い。
【００２９】
厚紙の表裏両面に鏡像関係となる同一の絵柄を印刷することにより、より自然な感じをあたえる食品サンプルとする効果が生じる。また、表裏同一位置に同一の絵柄が存在することにより、色調により深みを生じる効果も期待できる。
【００３０】
印刷面は、実際の食品の表面状態に合わせて、艶の程度や表面粗さを調節することが好ましい。そうすることにより、本物感が向上する。艶の程度や表面粗さの調節は、例えば印刷面に透明のＯＰニスを塗工したり、印刷面に透明フィルムをラミネートすることによってもたらされる。
【００３１】
両面の印刷や塗工が完了した厚紙は、所定の形状に打抜いて、サンプルを構成する各パーツを作成する。各パーツには、差し込み片５や差し込み孔６、切り込み１０を外形の打抜きと同時に形成しておく。切り込み１０は、平面の紙を立体的な形状に組み立てるために必要なものである。
【００３２】
図１、２に示した食品サンプルは、キャベツの半切りを模したものであるが、これを構成するパーツ２としては、図３に示した主要な葉のパーツ１１と図４に示した補助的な４枚の葉のパーツ１１、図５に示した半切り面のパーツ１３、図６に示した芯のパーツ１２の合計７つのパーツから構成されている。
【００３３】
芯のパーツ１２は、横方向に丸めて右側の２つの差し込み片５を左側の２つの差し込み孔６に挿入し、底となる部分に設けられた３つの差し込み片５を対応する３つの差し込み孔６に挿入することによって組み立てることができる。
【００３４】
その他のパーツの差し込み片５を所定の差し込み孔６に差し込んで組み立てることにより、食品サンプル（キャベツ）が完成する。差し込み片５には、一旦差し込み孔６に挿入した差し込み片５が簡単に抜けないように、係止部７を設けておくことが好ましい。係止部７としては、差し込み片５の付け根の太さよりも若干幅が広がった形状とするか、あるいは、差し込み片５を挿入する時に、差し込み片５の左右両側あるいは片側に設けた折り曲げ係止部８を折り曲げた状態で挿入することにより、差し込み片が簡単には抜けないようにすることができる。
【００３５】
各差し込み片５とこれに対応する差し込み孔６には、予め印刷の段階で、それぞれ同一かつ固有の番号や記号を印刷しておくことにより、組み立ての間違いを防止し、組み立ての能率を向上することができる。これらの番号や記号は、組み立てた後には外からは見えない場所に印刷しておくことが好ましい。図では、裏面側に印刷されている。
【００３６】
このような処置を講じることにより、誰でも組み立てることが可能となり、例えば子供用の組み立て工作に応用することも可能となる。
【００３７】
図７は、本発明に係る食品サンプルの他の実施例を示した斜視図であり、白菜の半切りを模したものである。図７に示した食品サンプル２０は、半切り面のパーツ２３と、複数枚の葉のパーツ２１と、図では見えないが内部に設置された芯のパーツ２２とから構成さ
れている。
【００３８】
図８は、本発明に係る食品サンプルの他の実施例を示した斜視図であり、刺身の盛り合わせを模したものである。図８に示した食品サンプル３０は、皿のパーツ３１と３種類の刺身のパーツ３２と、３種類のつまのパーツ３３とから構成されている。
【００３９】
本発明に係る食品サンプルは、組み立てが容易であり、熟練の技術を必要とせず、誰でも組み立てることができるので、短い期間に大量のサンプルを作成することも十分可能であり、冷蔵庫用の食品サンプルに留まらず、さまざまな応用が可能である。
【符号の説明】
【００４０】
１・・・食品サンプル（キャベツ）
２・・・紙製のパーツ
３・・・表面絵柄
４・・・裏面絵柄
５・・・差し込み片
６・・・差し込み孔
７・・・係止部
８・・・折り曲げ係止部
１０・・・切り込み
１１・・・葉のパーツ
１２・・・芯のパーツ
１３・・・半切り面のパーツ
２０・・・食品サンプル（白菜）
２１・・・葉のパーツ
２２・・・芯のパーツ
２３・・・半切り面のパーツ
３０・・・食品サンプル（刺身の盛り合わせ）
３１・・・皿のパーツ
３２・・・刺身のパーツ
３３・・・つまのパーツ
【図１】
2019078894.tif 000003
【図２】
2019078894.tif 000004
【図３】
2019078894.tif 000005
【図４】
2019078894.tif 000006
【図５】
2019078894.tif 000007
【図６】
2019078894.tif 000008
【図７】
2019078894.tif 000009
【図８】
2019078894.tif 000010